(57)【要約】【課題】従来に比してより操作性、利便性に優れたディジタル方位表示の視野内表示付眼鏡装置を提供する。【解決手段】表示装置７０の回路基板７２には、マイクロコンピュータ７５が搭載されており、ＥＮＴキー７８の短押しが検出されるようになっている。そして、ＥＮＴキー７８の短押しが検出されると液晶表示ユニット７１における方位データは、その時点の方位データに固定されて表示される固定表示状態とされる。同時に、液晶表示ユニット７１の表示状態は、点灯駆動回路７７を介してマイクロコンピュータ７５により所定の点滅状態、または、バックライトユニット７３が、方位データの変化をそのまま表示するリアルタイム表示状態における点灯色と異なる点灯色に切り換えられて、固定表示とリアルタイム表示との区別が容易にできるようになっている。【選択図】          図４
2006208512.tif 000002
【特許請求の範囲】
【請求項１】
観察対象を見るための対物光学系および接眼光学系と、
前記接眼光学系の視野内に、所定の情報を表示する情報表示手段とを、備えた視野内表示付眼鏡装置であって、
前記所定の情報を記憶する記憶手段と、
所定の設定スイッチが第１の設定状態にあることが検出された場合、前記情報表示手段における情報の表示を、前記所定の情報の取得に応じて逐次表示するリアルタイム表示状態とする一方、前記所定の設定スイッチが第２の設定状態にあることが検出された場合、前記情報表示手段における情報の表示を、前記記憶手段の記憶データを読み出して表示する固定表示状態とする表示制御手段と、
を具備してなることを特徴とする視野内表示付眼鏡装置。
【請求項２】
前記所定の情報は前記観察対象の方位に関する方位角情報であり、この方位を検出して該方位角情報を出力する方位検出手段を備えたことを特徴とする請求項１記載の視野内表示付眼鏡装置。
【請求項３】
前記情報表示手段が前記所定の情報の固定表示状態とされた場合に、前記情報表示手段に対して、当該所定の情報を点滅状態で表示せしめる点滅表示制御手段を設けたことを特徴とする請求項１または２記載の視野内表示付眼鏡装置。
【請求項４】
前記情報表示手段はバックライトを有してなり、
前記情報表示手段が前記固定表示状態にあるか、前記リアルタイム表示状態にあるかによって、前記バックライトを異なる色に点灯せしめる点灯色制御手段を有してなることを特徴とする請求項１または２記載の視野内表示付眼鏡装置。
【請求項５】
前記表示制御手段は、前記情報表示手段を固定表示状態とする際、前記記憶手段へ前記所定の情報を記憶せしめることを特徴とする請求項１から４のうちいずれか１項記載の視野内表示付眼鏡装置。
【請求項６】
前記記憶手段は、電力供給の有無に関わらず前記所定の情報の保存が可能に構成されてなり、
前記情報表示手段への電力供給の開始時からの所定時間の経過を検出し、該所定時間の経過が検出された際に、前記電力供給を強制的に断つ電力供給制御手段と、
前記情報表示手段において所定の情報の固定表示がなされている場合に、前記電力供給制御手段において前記情報表示手段への電力供給の開始時からの前記所定時間の経過が検出された際に、前記電力供給制御手段により電力供給が断とされるに先だって、前記固定表示されている所定の情報を前記記憶手段へ記憶せしめる情報保存制御手段と、
前記情報表示手段へ電力供給が再開された際、前記記憶手段に直近の固定表示された所定の情報が保存されているか否かを判定し、保存された所定の情報がある場合に、当該所定の情報を前記情報表示手段において、所定時間の間、固定表示せしめる保存情報表示制御手段と、
を具備してなることを特徴とする請求項１から５のうちいずれか１項記載の視野内表示付眼鏡装置。
【請求項７】
前記情報保存制御手段は、前記情報表示手段に前記所定の情報の固定表示がなされている場合において、前記所定の設定スイッチが第１の設定状態とされたことを検出し、当該検出がなされた際には、前記固定表示されている前記所定の情報を前記記憶手段へ記憶せしめる一方、
前記電力供給制御手段は、電力供給がなされている場合において、前記所定の設定スイッチが第１の設定状態とされたことを検出し、当該検出がなされた際には、電力供給を強制的に断つことを特徴とする請求項６記載の視野内表示付眼鏡装置。
【発明の詳細な説明】
【技術分野】
【０００１】
本発明は、景観や物体等の観察対象を拡大等して見るための、双眼鏡、単眼鏡等の望遠鏡や顕微鏡等（以下「双眼鏡等」と称する）に関し、特に、双眼鏡等の視野内に文字や図形等の情報を表示する機能を搭載した視野内表示付眼鏡装置に関するものである。
【背景技術】
【０００２】
従来、双眼鏡等にレーザ測距計を組み込んで観察対象までの距離を観測したり、電子コンパスやＧＰＳ（Global Positioning System）の受信機を組み込んで、双眼鏡等を向けている方向や現在の位置を測定したり、カメラを組み込んで観察対象等を撮像したりする技術が知られている。また、双眼鏡等に表示装置を組み込んで、得られた測定データや映像等の情報を視野内に表示する技術も知られており、このような表示装置としては、小型で消費電力が少なく、また高精細な画像が得られる等の理由により、液晶表示装置を用いてディジタル表示を行うようにしたものが提案されている（例えば、特許文献１参照）。
【０００３】
【特許文献１】特願２００２−２２１６７０号公報
【発明の開示】
【発明が解決しようとする課題】
【０００４】
しかしながら、このような視野内にディジタル表示を可能とした双眼鏡等であっても、操作性や利便性等において必ずしも満足したものが提案されて実用に供されている訳ではなく、さらなる改良が望まれているのが現状である。例えば、観察対象の方位を示す角度を視野内に表示するようなものでは、観察対象の方位が表示された後に、手元の地図等に目を移した際に手ぶれ等によって方位がずれてしまい、正確な方位を得るために再度観察対象にパンニングする等の不便性を有していた。
【０００５】
本発明は、このような事情に鑑みてなされたもので、より操作性、利便性に優れたディジタル方位表示機能を有する視野内表示付眼鏡装置を提供することを目的とする。
【課題を解決するための手段】
【０００６】
本発明の視野内表示付眼鏡装置は、
観察対象を見るための対物光学系および接眼光学系と、
前記接眼光学系の視野内に、所定の情報を表示する情報表示手段とを、備えた視野内表示付眼鏡装置であって、
前記所定の情報を記憶する記憶手段と、
所定の設定スイッチが第１の設定状態にあることが検出された場合、前記情報表示手段における情報の表示を、前記所定の情報の取得に応じて逐次表示するリアルタイム表示状態とする一方、前記所定の設定スイッチが第２の設定状態にあることが検出された場合、前記情報表示手段における情報の表示を、前記記憶手段の記憶データを読み出して表示する固定表示状態とする表示制御手段と、
を具備してなることを特徴とするものである。
【０００７】
また、前記所定の情報は前記視野内表示付眼鏡装置を向けている方位に関する方位角情報であり、この方位を検出して該方位角情報を出力する方位検出手段を備えてなるものとしても好適である。
【０００８】
なお、前記情報表示手段が前記所定の情報の固定表示状態とされた場合に、前記情報表示手段に対して、当該所定の情報を点滅状態で表示せしめる点滅表示制御手段を設けた構成としてもよい。
【０００９】
また、前記情報表示手段はバックライトを有してなり、
前記情報表示手段が前記固定表示状態にあるか、前記リアルタイム表示状態にあるかによって、前記バックライトを異なる色に点灯せしめる点灯色制御手段を有してなるものとしても好適である。
【００１０】
さらに、前記表示制御手段は、前記情報表示手段を固定表示状態とする際、前記記憶手段へ前記所定の情報を記憶せしめるようにすると好適である。
【００１１】
またさらに、前記記憶手段は、電力供給の有無に関わらず前記所定の情報の保存が可能に構成されてなり、
前記情報表示手段への電力供給の開始時からの所定時間の経過を検出し、該所定時間の経過が検出された際に、前記電力供給を強制的に断つ電力供給制御手段と、
前記電力供給の有無に関わらずデータの保存が可能な記憶手段と、
前記情報表示手段において所定の情報の固定表示がなされている場合に、前記電力供給制御手段において前記情報表示手段への電力供給の開始時からの前記所定時間の経過が検出された際に、前記電力供給制御手段により電力供給が断とされるに先だって、前記固定表示されている所定の情報を前記記憶手段へ記憶せしめる情報保存制御手段と、
前記情報表示手段へ電力供給が再開された際、前記記憶手段に直近の固定表示された所定の情報が保存されているか否かを判定し、保存された所定の情報がある場合に、当該所定の情報を前記情報表示手段において、所定時間の間、固定表示せしめる保存情報表示制御手段と、を具備してなる構成としても好適である。
【００１２】
また、前記情報保存制御手段は、前記情報表示手段に前記所定の情報の固定表示がなされている際には、前記所定の設定スイッチが第１の設定状態とされたことを検出し、当該検出がなされた場合に、前記固定表示されている前記所定の情報を前記記憶手段へ記憶せしめる一方、
前記電力供給制御手段は、電力供給がなされている場合において、前記所定の設定スイッチが第１の設定状態とされたことを検出し、当該検出がなされた際には、電力供給を強制的に断つようにしても好適である。
【発明の効果】
【００１３】
本発明の視野内表示付眼鏡装置は、例えば、得られた方位データ等の所定の情報を、使用者の所望に応じて固定して表示できるようにしたので、観察対象を地図等で確認作業する場合等、得られた方位等を作業中失うことなく効率良く作業を行うことができ、操作性に優れ、極めて利便性の高い視野内表示付眼鏡装置を提供することができる。
【００１４】
また、固定表示の際にその表示内容を点滅させ、または、リアルタイム表示と固定表示とでバックライトの点灯色が切り換えられるようにすることで、使用者がリアルタイム表示か固定表示かの識別を極めて容易に即座に行うことができるので、使用者の誤認識を確実に防止し、操作性、利便性の向上を図ることができる。
【００１５】
さらに、オートパワーＯＦＦが機能した際に、表示されていた方位データをその後も保持し、再度電源投入後に、その方位を再表示するようにしたので、従来と異なり、オートパワーＯＦＦの作動による方位データの消失に起因する様々な不便さを解消することができ、また、方位の取り直し等の重複する作業の発生を回避でき、さらなる操作性、利便性の向上を図ることができる。しかも、消費電力の低減と使い勝手の両立を図ることができる。
【発明を実施するための最良の形態】
【００１６】
以下、本発明の実施形態について図面を参照しつつ説明する。図１は本発明の一実施形態に係る視野内表示付眼鏡装置（以下「本実施形態装置」と称する）の構成を概略的に示す図、図２は図１に示す表示装置の構成を示す拡大図であり、図３は視野内の状態を概略的に例示する図である。
【００１７】
図１に示すように本実施形態装置では、筐体１０内において、互いに接合された２枚の対物レンズ２１，２２からなる対物光学系２０と、２個の直角プリズム３１，３２からなる正立像形成手段としてのポロプリズム３０と、対物光学系２０の略結像面位置に配されたレチクル板４１と、６枚の接眼レンズ５１〜５６からなる接眼光学系５０と、非偏光を略直線偏光に変換する直線偏光変換フィルタ６１とが、光軸Ｌに沿って観察対象側よりこの順序で配設されている。
【００１８】
また、上述のポロプリズム３０と接眼光学系５０との間の光軸Ｌ外の位置には、情報表示手段としての表示装置７０が配されている。なお、ポロプリズム３０は、プリズム保持部材３３を介して筐体１０に保持されており、上述のレチクル板４１および表示装置７０は、レチクル鏡室部材４２およびレチクル鏡室保持部材４３を介して筐体１０に保持されている。
【００１９】
また、上述の接眼光学系５０は、接眼レンズ鏡筒５７を介して筐体１０に保持されており、上述の直線偏光変換フィルタ６１は、この接眼レンズ鏡筒５７に取り付けられた接眼部材６２によって、接眼光学系５０の最も観察者寄りの位置に保持されている。なお、接眼部材６２によって保持された直線偏光変換フィルタ６１は、光軸Ｌを中心として回転させることが可能に構成されており、この回転により、その透過軸の方向を任意に変え得るようになっている。
【００２０】
本実施形態装置は、双眼鏡タイプの眼鏡装置に本発明を適用してなるものであり、図１に示すのはその左鏡筒の構成である。そして、図示されていない右鏡筒の構成は、上述のレチクル板４１および表示装置７０を備えていない点を除けば、上述した左鏡筒の構成と基本的に同一である。
【００２１】
表示装置７０は、図２に示されたように液晶表示ユニット７１と、この液晶表示ユニット７１の背面側にスペーサ７４Ａ，７４Ｂを介して配された回路基板７２と、この回路基板７２上に実装されたバックライトユニット７３とを備えてなるものである。
【００２２】
液晶ユニット７１の表面側には、１／４波長板からなる円偏光変換フィルタ８１と、所定の大きさに形成された開口部８２ａを有するマスク板８２とが配設されている。なお、上述のレチクル板４１は、円形の光学ガラス板の一部領域が切り欠かれた形状をなしており、表示装置７０、円偏光変換フィルタ８１、およびマスク板８２は、この切り欠かれた領域に配されている。また、レチクル板４１の図中右側の面は、十字線やこの十字線に刻まれた目盛り等のレチクル（図３に視野内の十字線像を示す）が形成されたレチクル面４１ａとなっており、マスク板８２の図中右側の面は、このレチクル面４１ａと略面一となるように配されている。
【００２３】
このような構成により、図３に示すように観察者の視野内（図中円内の領域）には、開口部８２ａから臨む表示装置７０の表示画像を、円偏光変換フィルタ８１を介して見ることができる情報表示領域９１と、マスク板８２により遮光されるため暗く見える非表示領域９２と、観察対象の像を観察し得る観察領域９３とが形成され、観察者は観察対象の拡大された像と共に、表示装置７０により表示される文字や図形等の所定の情報を、視野内の一部すなわち観察領域９３の外部において見ることが可能となっている。なお、本実施形態装置においては、詳細は後述するがコンパスを備えており、表示装置７０には、方位情報がディジタル表示されるようになっている。
【００２４】
そして、本実施形態装置においては、表示装置７０からの表示光は、円偏光変換フィルタ８１を透過する際に直線偏光から略円偏光に変換されて、直線偏光変換フィルタ６１に到達する。このため、直線偏光変換フィルタ６１の透過軸がどのような向きに設定されていても、直線偏光変換フィルタ６１により表示光が大幅に減光されることがなく、表示装置７０により視野内の一部領域に表示された情報を常に明るく見ることができるものとなっている。
【００２５】
次に、表示装置７０の動作制御を行うための電気回路部分の構成例について、図４を参照しつつ説明する。
【００２６】
表示装置７０は、先に述べたように、液晶表示ユニット７１と、回路基板７２と、バックライトユニット７３とを備えており、回路基板７２には、マイクロコンピュータ（ＣＰＵ）７５、コンパスＩＣ７６、および点灯駆動回路７７等が設けられる他、図示されない他の回路、例えば、電源電圧の供給の制御を行うための回路等が配されたものとなっている。
【００２７】
マイクロコンピュータ７５は、公知・周知の構成を有してなるもので、後述するような表示に関する種々の動作制御やコンパスＩＣ７６からのデータに基づく方位角度の演算処理等が行われるようになっている。このマイクロコンピュータ７５は、主電源９５が接続されており、後述するＥＮＴキー７８が所定の押下状態とされた際に、マイクロコンピュータ７５や他の回路部分への電源電圧の供給が開始されるようになっている。また、マイクロコンピュータ７５には、主電源９５による電力供給が断たれた後も、各種データの保存のために記憶手段としての不揮発性メモリ（図４においては便宜的に「ＲＡＭ」と表記）８０が接続されている。この不揮発性メモリ８０は、データの書込および読み出しが自在であって、しかも、主電源９５からの電力供給が断たれてもデータの保持が可能なもので、具体的には、例えば、フラッシュメモリ等を用いることができる。
【００２８】
なお、不揮発性メモリ８０に替えて、通常の半導体メモリを用いるようにすると共に、このメモリに、バックアップ用の電源を接続する構成とし、主電源９５からの電力供給が断たれてもデータの保持ができるような構成としてもよい。
【００２９】
また、このマイクロコンピュータ７５には、筐体１０の適宜な箇所に設けられたＥＮＴキー（エンターキー）７８およびＭＯＤＥキー（モードキー）７９が接続されており、特に、ＥＮＴキー７８は、後述するようにその押下状態が検出され、電源電圧の供給や表示状態の制御等に供されるようになっている。なお、ＭＯＤＥキー７９は、その押下状態によって、動作モードの変更等に用いられるものであるが、後述するマイクロコンピュータ７５による表示装置７０の第１乃至第４の動作制御例においては、必須のスイッチではない。
【００３０】
コンパスＩＣ７６は、方位情報を生成するための回路が集積回路化されたものである。この種のＩＣとしては、例えば、磁気センサを用いたもの等が知られている。より具体的には、例えば、感度の良好性や小型化容易性等の点で従来品に優り、近年、多く実用に供されているアモルファス材料のＭＩ効果（Magneto-impedaEffect）を利用したコンパスＩＣ等が好適である。
【００３１】
コンパスＩＣ７６からの出力信号は、マイクロコンピュータ７５に予め記憶されている方位データ算出処理のプログラムによって処理され、ディジタル方位データに変換されて点灯駆動回路７７へ供給されることで、液晶表示ユニット７１に検出された方位がディジタル表示されるようになっている。なお、方位データ算出処理プログラムは、一般に、コンパスＩＣ７６のメーカ等から提供されており、これを用いるのが好適である。
【００３２】
点灯駆動回路（図４においては便宜的に「ＤＲＶ」と表記）７７は、マイクロコンピュータ７５からのディジタル方位データを液晶表示ユニット７１に表示するために必要な液晶表示ユニット７１への駆動信号を出力すると共に、バックライトユニット７３の点灯に必要な駆動信号を出力するようになっているものである。なお、バックライトユニット７３は、図示されないバックライトとその点灯に必要な電子部品がユニット化されたものであるが、本実施形態装置においては、後述するようにマイクロコンピュータ７５の制御によって、その点灯色が少なくとも２色で切り換え可能なものとなっている。
【００３３】
次に、かかる構成において、マイクロコンピュータ７５によって実行される表示装置７０の動作制御の第１の実施例について、図５に示されたフローチャートを参照しつつ説明する。
【００３４】
この第１の実施例は、液晶表示ユニット７１の表示状態の切り換え機能を実現するもので、まず、ＥＮＴキー７８が使用者によって長押しされた状態（第１の押下状態）にされると、“POWER ON ”の状態、すなわち、主電源９５の電圧が、回路基板７２、液晶表示ユニット７１およびバックライトユニット７３へ供給されることとなる（図５のステップＳ１００，Ｓ１０２参照）。
【００３５】
ここで、「長押し」、「短押し」の区別は、例えば、スイッチが押下されている時間の長短によって区別するのが好適である。より具体的には、マイクロコンピュータ７５において検出されるスイッチの押下時間が、例えば、１秒以下の場合は、「短押し」と判定し、これを越える時間押下された場合は「長押し」と判定する等の基準が考えられるが、時間の設定は、特定の値に限定される必要はないことは勿論である。
【００３６】
電力供給の開始と共に、コンパスＩＣ７６からの方位データがマイクロコンピュータ７５に取り込まれて演算処理され、液晶表示ユニット７１にディジタル表示するため、所定の信号形式で点灯駆動回路７７へ出力される。そして、点灯駆動回路７７は、マイクロコンピュータ７５から入力された信号に基づいて、液晶表示ユニット７１を駆動し、その結果、この時点の観察対象（図１参照）へ向けられている本実施形態装置の方位がリアルタイム表示されることとなる（図５のステップＳ１０４参照）。すなわち、リアルタイム表示は、本実施形態装置が方位方向でパンニングされるに従い時々刻々と変化する方位が液晶表示ユニット７１にそのまま表示される表示状態である。
【００３７】
次いで、マイクロコンピュータ７５は、ＥＮＴキー７８の押下を検出する状態となり（図５のステップＳ１０６参照）、ＥＮＴキー７８が押下されたと判断されると、長押しされたか短押しされたかが判断され（図５のステップＳ１０８参照）、長押しされたと判定された場合には、回路基板７２等への主電源９５による電力供給が断（POWER OFF）とされ液晶表示ユニット７１の表示機能が停止されることとなる（図５のステップＳ１１０参照）。一方、ＥＮＴキー７８が短押しされた（第２の押下状態）と判断された場合には、液晶表示ユニット７１における方位表示は、固定表示状態とされる（図５のステップＳ１１２参照）。すなわち、ＥＮＴキー７８が短押しされると、このときの方位データがメモリ８０（または、マイクロコンピュータ７５内の所定の記憶領域）に記憶される。同時に、メモリ８０からこの記憶された方位データがマイクロコンピュータ７５によって読み出され、点灯駆動回路７７を介して液晶表示ユニット７１に表示された状態に保持され、たとえ本実施形態装置を方位方向でパンニングしてもＥＮＴキー７８が短押しされた際に検出された方位が液晶表示ユニット７１に継続表示された状態となる。
【００３８】
なお、この動作制御例では、ステップＳ１０８でＥＮＴキー７８が短押しされた際の方位データをメモリ８０またはマイクロコンピュータ７５内の所定の記憶領域に記憶すると共に、その記憶データを液晶表示ユニット７１において固定表示するようにしたが、例えば、ＥＮＴキー７８の短押しを複数回連続的に行うことで、それ以前にメモリ８０またはマイクロコンピュータ７５の所定の記憶領域に記憶された方位データを読み出して固定表示するようにしてもよい。この場合、例えば、メモリ８０またはマイクロコンピュータ７５の所定の記憶領域には、記憶時期の異なる複数の方位データが記憶できるようにし、一度に行われる短押しの連続回数に応じて読み出す方位データの記憶時期が異なるようにして固定表示するようにしてもよい。
【００３９】
このような方位の固定表示機能は、例えば、観察対象の方位が表示された際に、使用者が本実施形態装置から手元の地図等へ目を移し、地図上で観察対象の位置の確認等を行うような場合に極めて便利である。すなわち、従来装置では、使用者の注意が地図へ注がれたことで、双眼鏡等を持った手がぶれたりすると方位がずれてしまい、正確な方位を得るために再度、双眼鏡等を観察対象へパンニングしなければならず、また、そのような不都合を回避するためには、双眼鏡等から目を離す際に方位を使用者が正確に記憶しておかなければならない等の不便さがあった。これに対して、本実施形態装置の場合、上述のような固定表示とすることで、地図等での観察対象の確認のためにたとえ本実施形態装置を観察対象からずらしても、観察対象の方位を失うことがなく、確認作業等を効率良く行える等の極めて利便性の高い機能が提供される。
【００４０】
なお、方位の固定表示の際に、使用者が固定表示状態であるとの認識を容易とするため、その表示を点滅状態とするのが好ましい。より具体的には、例えば、図３に示された液晶表示ユニット７１の表示例において、方位データ、すなわち、「２３０」の数値の全部または一部（一桁）を点滅状態とするとよい。また、方位データと数字以外の特定の文字を交互に表示させるようにしてもよい。例えば、図３の表示例において、「２３０」と「‐‐‐」とを交互に表示させるとよい。さらに、方位データと固定表示を意味するＰの文字を交互に表示されるようにしても好適である。なお、点滅の仕方は、これらに限定されるものではないことは勿論であり、適宜、選定されるべきものである。
【００４１】
そして、液晶表示ユニット７１が固定表示状態とされた（図５のステップＳ１１２参照）後は、再び、ＥＮＴキー７８の押下の有無を検出する状態となり（図５のステップＳ１１４参照）、ＥＮＴキー７８が押下されたと判定されると、長押しされたか短押しされたかが判断されることとなる（図５のステップＳ１１６参照）。そして、ＥＮＴキー７８が長押しされたと判定された場合には、先に説明したステップＳ１１０の処理へ進むこととなる一方、短押しされたと判定された場合には、リアルタイム表示状態に戻り（図５のステップＳ１０４参照）、以後、再びＥＮＴキー７８の押下の有無を検出する状態となる（図５のステップＳ１０６参照）。なお、このような機能の実現に際しては、先に図４で説明した不揮発性メモリ８０は必ずしも必須のものではない。
【００４２】
上述したようなマイクロコンピュータ７５による液晶表示ユニット７１の表示状態の切り換え制御のため、マイクロコンピュータ７５には、ソフト的に図６に示されたように表示制御手段５０１と、点滅表示制御手段５０２とが備えられたものと捉えることができる。
【００４３】
すなわち、表示制御手段５０１は、前述したＥＮＴキー７８が長押しされた際に、回路に対する電源電圧の供給を開始させると共に、液晶表示ユニット７１の表示をリアルタイム表示状態とするため図５で説明したステップＳ１００，Ｓ１０２，Ｓ１０４の処理を実行する一方、前述したＥＮＴキー７８がリアルタイム表示状態において短押しされた際に、液晶表示ユニット７１の表示を固定表示状態とするため図５で説明したステップＳ１０６，Ｓ１０８，Ｓ１１２の処理を実行するものである。また、点滅表示制御手段５０２は、液晶表示ユニット７１において固定表示がなされた際に、その表示を点滅させる機能を果たすもので、図５においては、ステップＳ１１２の処理に包含されたものとしており、独立したステップとしての記述を省略している。
【００４４】
次に、マイクロコンピュータ７５によって実行される表示装置７０の動作制御の第２の実施例について、図７に示されたフローチャートを参照しつつ説明する。なお、図５に示されたフローチャートにおける処理と同一の処理が行われるステップについては、図５と同一のステップ番号を付して、その詳細な説明は省略し、以下、異なる点を中心に説明することとする。
【００４５】
この第２の実施例は、第１の実施例における液晶表示ユニット７１の表示状態の切り換え機能に加えて、バックライトの点灯色の切り換え機能を実現するもので、ステップＳ１００〜ステップＳ１０４までの処理は、図５で説明したと同一の処理が行われる。そして、液晶表示ユニット７１がリアルタイム表示とされると同時に、バックライトユニット７３における点灯色が予め設定された第１の点灯色とされる（図７のステップＳ１０５参照）。ここで、第１の点灯色は、特定の色に限定される必要はないが、本実施例では、例えば、赤色とされるようになっている。
【００４６】
この後、ステップＳ１０６、Ｓ１０８の処理が行われて、液晶表示ユニット７１が固定表示状態とされると、同時に、バックライトユニット７３の点灯色は、第２の点灯色（例えば、青色）に切り換えられることとなる（図７のステップＳ１１３参照）。このように液晶表示ユニット７１における方位の表示状態に応じて、バックライト色を切り換えることによって、使用者は、液晶表示ユニット７１における表示がリアルタイム表示であるのか、固定表示であるのかを、即座に確実に認識でき、より利便性の向上が図られることとなる。
【００４７】
上述したような液晶表示ユニット７１の表示状態の切り換え制御およびバックライトの点灯色の切り換え制御のため、マイクロコンピュータ７５には、ソフト的に図８に示されたように表示制御手段５０１と、点灯色制御手段５０３とが備えたものと捉えることができる。
【００４８】
すなわち、リアルタイム表示制御手段５０１は、前述したＥＮＴキー７８が長押しされた際に、回路に対する電源電圧の供給を開始させると共に、液晶表示ユニット７１の表示をリアルタイム表示状態とするため図７のステップＳ１００，Ｓ１０２，Ｓ１０４の処理を実行する一方、前述したＥＮＴキー７８がリアルタイム表示状態において短押しされた際に、液晶表示ユニット７１の表示を固定表示状態とするため図７のステップＳ１０６，Ｓ１０８，Ｓ１１２の処理を実行するものである。また、点灯色制御手段５０３は、バックライトユニット７３の点灯色を切り換えるために図７で説明したステップＳ１０５，Ｓ１１３の処理を実行するものである。
【００４９】
次に、マイクロコンピュータ７５によって実行される表示装置７０の動作制御の第３の実施例について、図９および図１０に示されたフローチャートを参照しつつ説明する。
【００５０】
この第３の実施例は、先に説明した液晶表示ユニット７１の表示状態の切り換え機能およびバックライトの点灯色の切り換え機能に加えて、方位データ保持機能および保存方位データの再表示機能を実現するものである。
【００５１】
まず、ＥＮＴキー７８が使用者によって長押しされた状態にされると、“POWER ON ”の状態、すなわち、主電源９５の電圧が、回路基板７２、液晶表示ユニット７１およびバックライトユニット７３へ供給されることとなる（図９のステップＳ２００，Ｓ２０２参照）。
【００５２】
次いで、オートパワーＯＦＦカウンタのカウントが開始される（図９のステップＳ２０４参照）。すなわち、この実施例では、電力供給が開始（POWER ON）された時点から所定時間経過すると自動的に電力供給を断つ機能（オートパワーＯＦＦ）が実現されるようになっており、そのため、“POWER ON”の時点からの経過時間がソフトウェア処理によって計数されることとなる。
【００５３】
次いで、固定表示されているときにパワーオフ（電力供給断）された場合に記憶、保持される方位データが、不揮発性メモリ８０に、保持されているか否かが判定される（図９のステップＳ２０６参照）。そして、不揮発性メモリ８０に方位データ有りと判定された場合、その方位データがマイクロコンピュータ７５に読み込まれて、液晶表示ユニット７１に所定時間（例えば、５秒）の間、固定表示された後（図９のステップＳ２０８参照）、リアルタイム表示状態に移行する（図９のステップＳ２１０参照）。なお、ここで、固定表示、リアルタイム表示の意味は、先に図５を参照しつつ説明した第１の実施例と同一である。
【００５４】
一方、ステップＳ２０６で、不揮発性メモリ８０に方位データは保存されていないと判定された場合には、リアルタイム表示が行われることとなる（図９のステップＳ２０６，Ｓ２１０参照）。そして、バックライトユニット７３における点灯色が予め設定された第１の点灯色とされる（図９のステップＳ２１２参照）。なお、ステップＳ２１２の処理は、図７のステップＳ１０５の処理と実質的には同一のものであるので、ここでの詳細な説明は省略する。
【００５５】
上述のようにしてリアルタイム表示がなされた後、オートパワーＯＦＦカウンタのカウント値が所定の値となったか否か、すなわち、所定の時間が経過したか否かが判定され（図９のステップＳ２１４参照）、所定の時間が経過したと判定された場合には、主電源９５による各部への電力供給が断とされることとなる（図９のステップＳ２２０参照）。
【００５６】
一方、ステップＳ２１４において、未だ所定時間が経過していないと判定された場合には、ＥＮＴキー７８の押下の有無を検出する状態となり（図９のステップＳ２１６参照）、ＥＮＴキー７８が押下されたと判定されると、長押しされたか短押しされたかが判断されることとなる（図９のステップＳ２１８参照）。
【００５７】
そして、ＥＮＴキー７８が長押しされたと判定された場合には、回路基板７２等への主電源９５による電力供給が断（POWER OFF）とされ液晶表示ユニット７１の表示機能が停止されることとなる（図９のステップＳ２２０参照）。一方、ステップＳ２１８において、ＥＮＴキー７８が短押しされたと判定された場合には、液晶表示ユニット７１における方位表示は、固定表示状態とされる（図９のステップＳ２２２参照）と共に、バックライトユニット７３の点灯色は、第２の点灯色（例えば、青色）に切り換えられることとなる（図９のステップＳ２２４参照）。
【００５８】
次いで、オートパワーＯＦＦカウンタのカウント値が所定の値となったか否か、すなわち、所定の時間が経過したか否かが判定され（図１０のステップＳ２２６参照）、所定の時間が経過したと判定された場合には、この時点で固定表示されている方位が不揮発性メモリ８０に記憶されると共に、主電源９５による各部への電力供給が断とされることとなる（図１０のステップＳ２２８参照）。
【００５９】
一方、ステップＳ２２６において、未だ所定時間が経過していないと判定された場合には、ＥＮＴキー７８の押下の有無を検出する状態となり（図１０のステップＳ２３０参照）、ＥＮＴキー７８が押下されたと判定されると、長押しされたか短押しされたかが判断されることとなる（図１０のステップＳ２３２参照）。
【００６０】
そして、ＥＮＴキー７８が長押しされたと判定された場合には、先に説明したステップＳ２２８の処理が実行される一方、ＥＮＴキー７８が短押しされたと判定された場合には、リアルタイム表示状態に戻り（図９のステップＳ２１０参照）、バックライトユニット７３が第１の点灯色とされて（図９のステップＳ２１２参照）、オートパワーＯＦＦ機能の終了を検出する判定状態となる（図９のステップＳ２１２）。そして、オートパワーＯＦＦ機能の終了、すなわち、オートパワーＯＦＦカウンタの計数値が所定値（所定時間）となったと判定されると、先に説明したステップＳ２２０の処理が実行されて液晶表示ユニット７１における方位表示が終了されることとなる。
【００６１】
このように、この第３の実施例においては、オートパワーＯＦＦによって電力供給が強制的に断たれて方位表示が終了される場合、表示終了時の方位データを電力供給が断たれた後も保持し、その後、電源オンとされて、表示動作が再開された際に、直前の電源オフの際に固定表示されていた方位を所定時間、再表示するようにしてあるので、固定表示された方位を地図等で確認作業するような場合において非常に便利である。すなわち、例えば、従来のオートパワーＯＦＦ機能付きの双眼鏡等で、観察対象の方位表示を得た際に、その観察対象の方位等を地図で確認する場合、確認作業が長引いてオートパワーＯＦＦ機能が作用して電源オフとなると方位データは全て失われてしまうため、確認作業が完了していない場合等には、電源をオンとした後、再度、観察対象に双眼鏡等を向けて方位を合わせて表示をやり直させる必要があった。これに対して、本実施形態装置では、上述のような確認作業等の途中で、オートパワーＯＦＦ機能が作用しても、電源を再度オンとすると、直前の方位が再度表示されるため、観察対象に双眼鏡等を向けて方位を合わせて表示をやり直させる等の従来のような余分な作業を回避することができ、効率の良い確認作業ができる。
【００６２】
上述したような方位データの保持制御や保存された固定表示データの再表示制御のため、マイクロコンピュータ７５には、ソフト的に図１１に示されたように、電力供給制御手段６０１と、情報保存制御手段６０２と、保存情報表示制御手段６０３とが備えられたものと捉えることができる。
【００６３】
すなわち、電力供給制御手段６０１は、オートパワーＯＦＦカウンタの計数値が所定値に達した場合やＥＮＴキー７８が長押しされた場合に電力供給を断つために図９で説明したステプＳ２１４，Ｓ２１８，Ｓ２２０および図１０で説明したステップＳ２２６，Ｓ２３２，Ｓ２２８の処理を実行するものである。また、情報保存制御手段６０２は、POWER OFF時に固定表示されている方位データの記憶、保存を行うために図１０で説明したステップＳ２２８の処理を実行するものである。さらに、保存情報表示制御手段６０３は、POWER ON直後に、保存されている方位データがある場合に、それを所定時間、固定表示させるため図９で説明したステップＳ２０６，Ｓ２０８の処理を実行するものである。
【００６４】
次に、マイクロコンピュータ７５によって実行される表示装置７０の動作制御の第４の実施例について、図１２および図１３に示されたフローチャートを参照しつつ説明する。なお、図９および図１０に示されたフローチャートにおける処理と同一の処理が行われるステップについては、図９および図１０と同一のステップ番号を付して、その詳細な説明は省略し、以下、異なる点を中心に説明することとする。
【００６５】
この第４の実施例は、方位データ保持機能および保存方位データの再表示機能を実現する点は、先の第３の実施例と同様であるが、バックライトの点灯色の切り換え機能に替えて、固定表示の際に点滅表示を行うようにした点が先の第３の実施例と異なるものである。
【００６６】
すなわち、この第４の実施例においては、ＥＮＴキー７８の短押しによって液晶表示ユニット７１における方位表示が固定表示状態とされると共に、先に図５のステップＳ１１２で述べたように予め設定された点滅状態とされるようになっている（図１２のステップＳ２２２）。なお、他の処理については、先に図９および図１０で説明したと基本的に同一であるので、ここでの再度の詳細な説明は省略する。なお、この第４の実施例においては、マイクロコンピュータ７５にソフト的に形成される機能手段は、先に図６および図１１に示されたものと基本的に同一であるので、ここでの再度の詳細な説明は省略する。
【００６７】
なお、本発明の視野内表示付眼鏡装置としては、上記実施形態のものに限られるものではなく、その他の種々の態様の変更が可能である。例えば、設定スイッチの設定態様としては、押下スイッチの押下状態に限られるものではなく、スライドスイッチのスライド状態、あるいは回転スイッチの回転状態等とすることができる。また、情報表示手段に表示される所定の情報は、方位角情報に限られるものではなく、例えば俯角、高度、温度等の種々の情報とすることができる。
【００６８】
なお、上記実施形態においては、方位が表示される液晶表示ユニット（ＬＣＤ）７１に、現在の表示がリアルタイム表示であるか固定表示であるかの識別表示を行うようになっているが、これに替え、方位を表示する液晶表示ユニット７１とは異なる表示部を視野内に別途設けておいて、この表示部に上記識別表示がなされるように構成することも可能である。
【図面の簡単な説明】
【００６９】
【図１】本発明の一実施形態に係る視野内表示付眼鏡装置の概略構成図
【図２】図１に示す表示装置の拡大図
【図３】視野内の状態を概略的に例示する図
【図４】表示装置の電気回路部分の一構成例を示す構成図
【図５】マイクロコンピュータによって実行される表示装置の動作制御の第１の実施例を示すフローチャート
【図６】図５に示された表示装置の動作制御を実行するためマイクロコンピュータにおいて実現される機能手段の構成を示すブロック図
【図７】マイクロコンピュータによって実行される表示装置の動作制御の第２の実施例を示すフローチャート
【図８】図７に示された表示装置の動作制御を実行するためマイクロコンピュータにおいて実現される機能手段の構成を示すブロック図
【図９】マイクロコンピュータによって実行される表示装置の動作制御の第３の実施例を示すフローチャート
【図１０】図９に示されたマイクロコンピュータによって実行される表示装置の動作制御の続きを示すフローチャート
【図１１】図９および図１０に示された表示装置の動作制御を実行するためマイクロコンピュータにおいて実現される機能手段の構成を示すブロック図
【図１２】マイクロコンピュータによって実行される表示装置の動作制御の第４の実施例を示すフローチャート
【図１３】図１２に示されたマイクロコンピュータによって実行される表示装置の動作制御の続きを示すフローチャート
【符号の説明】
【００７０】
１０      筐体
２０      対物光学系
５０      接眼光学系
５７      接眼レンズ鏡筒
７０      液晶表示装置
７１      液晶表示ユニット
７２      回路基板
７３      バックライトユニット
７５      マイクロコンピュータ
７６      コンパスＩＣ
７７      点灯駆動回路
７８      ＥＮＴキー
８０      不揮発性メモリ
９５      主電源
【図１】
2006208512.tif 000003
【図２】
2006208512.tif 000004
【図３】
2006208512.tif 000005
【図４】
2006208512.tif 000006
【図５】
2006208512.tif 000007
【図６】
2006208512.tif 000008
【図７】
2006208512.tif 000009
【図８】
2006208512.tif 000010
【図９】
2006208512.tif 000011
【図１０】
2006208512.tif 000012
【図１１】
2006208512.tif 000013
【図１２】
2006208512.tif 000014
【図１３】
2006208512.tif 000015